【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
受信状態が悪くフロントエンドが完全エラーフリーデジタル復調できないときに、フロントエンド以外のブロックの電源供給を中止するための電源制御手段を備えた地上デジタル放送用受信機。
【請求項２】
地上デジタル放送を受信する受信アンテナと、前記受信アンテナの出力に基づいて受信可能または受信不可能を示すフラグ信号を出力し希望の周波数を選局し受信したデジタル変調信号を復調し伝送路の誤りを訂正しトランスポートストリームを出力するフラグ信号出力手段つきフロントエンドと、前記フラグ信号出力手段つきフロントエンドの出力から鍵パケットを抽出し暗号の解けた状態のトランスポートストリームを映像情報および音声情報へ分離し元の映像および音声を再生し映像信号および音声信号のデジタルアナログ変換を行なうバックエンドと、前記バックエンドの出力を外部に出力する映像出力手段および音声出力手段と、すべてのブロックを動作させるための電源と、前記電源から前記フラグ信号出力手段つきフロントエンドへの供給電圧のみを保持し前記フラグ信号出力手段つきフロントエンド以外の各ブロックへの電源供給を前記フラグ信号出力手段つきフロントエンドからのフラグ信号により制御する電源制御手段とを備えた地上デジタル放送用受信機。
【請求項３】
フラグ信号出力手段付きフロントエンドは、希望の周波数を選局する選局用チューナと、前記選局用チューナの出力に基づいてデジタル変調信号を復調するデジタル復調部と、前記デジタル復調部が正しく動作していることを示す同期信号により当該フロントエンドの受信可能または受信不可能を示すフラグ信号を出力するデジタル復調部同期フラグ出力端子と、前記デジタル復調部の出力に基づいて伝送路の誤りを訂正する誤り訂正部を備えたことを特徴とする請求項２記載の地上デジタル放送用受信機。
【請求項４】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいて前記デジタル復調部で復調した後の信号のビット誤り率を測定し当該フロントエンドの受信可能または受信不可能を示すフラグ信号を出力するＢＥＲ測定判定手段と、前記ＢＥＲ測定判定手段の出力信号を出力するＢＥＲ測定フラグ出力端子を備えたことを特徴とする請求項２記載の地上デジタル放送用受信機。
【請求項５】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいてエラーがあるときにはハイになりエラーがなければローとなる特徴をもったＭＰＥＧフォーマットで規定されているＬＥＲＲＯＲという信号から当該フロントエンドの受信可能または受信不可能を示すフラグ信号を出力するＬＥＲＲＯＲ判定手段と、前記ＬＥＲＲＯＲ判定手段の出力信号を出力するＬＥＲＲＯＲ判定フラグ出力端子を備えたことを特徴とする請求項２記載の地上デジタル放送用受信機。
【請求項６】
地上デジタル放送を受信する受信アンテナと、前記受信アンテナの出力に基づいて受信可能または受信不可能を示すフラグ信号を出力し希望の周波数を選局し受信したデジタル変調信号を復調し伝送路の誤りを訂正しトランスポートストリームを出力するフラグ信号出力手段つきフロントエンドと、電話回線に接続可能な電話回線入力端子と、前記電話回線入力端子からのデジタル変調信号をトランスポートストリームに変換する電話回線用フロントエンドと、前記フラグ信号出力手段付きフロントエンドからのフラグ信号により前記フラグ信号出力手段つきフロントエンドの出力または前記電話回線用フロントエンドの出力を選択する受信データ選択手段と、前記受信データ選択手段の出力から鍵パケットを抽出し暗号の解けた状態のトランスポートストリームを映像情報および音声情報へ分離し元の映像および音声を再生し映像信号および音声信号のデジタルアナログ変換を行なうバックエンドと、前記バックエンドの出力を外部に出力する映像出力手段および音声出力手段とを備えた地上デジタル放送用受信機。
【請求項７】
フラグ信号出力手段付きフロントエンドは、希望の周波数を選局する選局用チューナと、前記選局用チューナの出力に基づいてデジタル変調信号を復調するデジタル復調部と、前記デジタル復調部が正しく動作していることを示す同期信号により当該フロントエンドの受信可能または受信不可能を示すフラグ信号を出力するデジタル復調部同期フラグ出力端子と、前記デジタル復調部の出力に基づいて伝送路の誤りを訂正する誤り訂正部を備えたことを特徴とする請求項６記載の地上デジタル放送用受信機。
【請求項８】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいて前記デジタル復調部で復調した後の信号のビット誤り率を測定し当該フロントエンドの受信可能または受信不可能を示すフラグ信号を出力するＢＥＲ測定判定手段と、前記ＢＥＲ測定判定手段の出力信号を出力するＢＥＲ測定フラグ出力端子を備えたことを特徴とする請求項６記載の地上デジタル放送用受信機。
【請求項９】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいてエラーがあるときにはハイになりエラーがなければローとなる特徴をもったＭＰＥＧフォーマットで規定されているＬＥＲＲＯＲという信号から当該フロントエンドの受信可能または受信不可能を示すフラグ信号を出力するＬＥＲＲＯＲ判定手段と、前記ＬＥＲＲＯＲ判定手段の出力信号を出力するＬＥＲＲＯＲ判定フラグ出力端子を備えたことを特徴とする請求項６記載の地上デジタル放送用受信機。
【請求項１０】
地上デジタル放送を受信する受信アンテナと、前記受信アンテナの出力に基づいて受信可能または受信不可能を示すフラグ信号を出力し希望の周波数を選局し受信したデジタル変調信号を復調し伝送路の誤りを訂正しトランスポートストリームを出力するフラグ信号出力手段つきフロントエンドと、あらかじめＣＭ情報または文字放送情報を記憶させておく不揮発性記憶手段と、前記フラグ信号出力手段付きフロントエンドからのフラグ信号により受信状態が悪いときには前記不揮発性記憶手段からの情報を出力し受信状態が良いときは前記フラグ信号出力手段つきフロントエンドの出力を出力するという制御をするデータ制御手段と、前記データ制御手段の出力から鍵パケットを抽出し暗号の解けた状態のトランスポートストリームを映像情報および音声情報へ分離し元の映像および音声を再生し映像信号および音声信号のデジタルアナログ変換を行なうバックエンドと、前記バックエンドの出力を外部に出力する映像出力手段および音声出力手段とを備えた地上デジタル放送用受信機。
【請求項１１】
フラグ信号出力手段付きフロントエンドは、希望の周波数を選局する選局用チューナと、前記選局用チューナの出力に基づいてデジタル変調信号を復調するデジタル復調部と、前記デジタル復調部が正しく動作していることを示す同期信号により当該フロントエンドの受信可能または受信不可能を示すフラグ信号を出力するデジタル復調部同期フラグ出力端子と、前記デジタル復調部の出力に基づいて伝送路の誤りを訂正する誤り訂正部を備えたことを特徴とする請求項１０記載の地上デジタル放送用受信機。
【請求項１２】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいて前記デジタル復調部で復調した後の信号のビット誤り率を測定し当該フロントエンドの受信可能または受信不可能を示すフラグ信号を出力するＢＥＲ測定判定手段と、前記ＢＥＲ測定判定手段の出力信号を出力するＢＥＲ測定フラグ出力端子を備えたことを特徴とする請求項１０記載の地上デジタル放送用受信機。
【請求項１３】
フラグ信号出力手段付きフロントエンドは、希望の周波数を選局する選局用チューナと、前記選局用チューナの出力に基づいてデジタル変調信号を復調するデジタル復調部と、前記デジタル復調部の出力に基づいて伝送路の誤りを訂正する誤り訂正部と、前記誤り訂正部の出力に基づいてエラーがあるときにはハイになりエラーがなければローとなる特徴をもったＭＰＥＧフォーマットで規定されているＬＥＲＲＯＲという信号から当該フロントエンドの受信可能または受信不可能を示すフラグ信号を出力するＬＥＲＲＯＲ判定手段と、前記ＬＥＲＲＯＲ判定手段の出力信号を出力するＬＥＲＲＯＲ判定フラグ出力端子を備えたことを特徴とする請求項１０記載の地上デジタル放送用受信機。